(57)【要約】【課題】微粒子分散液体の分散微粒子径の上限を限定し、Φ２５μｍ以下であるような従来にはない非常に微細な開口を用いる液体噴射ヘッドに使用しても、開口の目詰まりがないようにすることにある。【解決手段】顔料分散型記録液体を、各色に対応する微細な開口からそれぞれ吐出させて被記録体に画像を記録する液体噴射記録装置である。該記録装置は、各色に対応した開口をそれぞれ有する液体噴射ヘッドを備え、前記開口の径Ｄｏはいずれも１０μｍ〜２５μｍであり、前記顔料分散型記録液体に分散された顔料粒子の大きさをＤｐとするとき、前記開口の径Ｄｏに対する前記顔料粒子の大きさＤｐの比（Ｄｐ／Ｄｏ）が、Ｄｐ／Ｄｏ≦０.０１であることを特徴としたものである。【選択図】なし【特許請求の範囲】
【請求項１】
顔料分散型記録液体を、各色に対応する微細な開口からそれぞれ吐出させて被記録体に画像を記録する液体噴射記録装置であって、前記開口をそれぞれ有する液体噴射ヘッドを備え、前記開口の径Ｄｏはいずれも１０μｍ〜２５μｍであり、前記顔料分散型記録液体に分散された顔料粒子の大きさをＤｐとするとき、前記開口の径Ｄｏに対する前記顔料粒子の大きさＤｐの比（Ｄｐ／Ｄｏ）が、Ｄｐ／Ｄｏ≦０.０１であることを特徴とする液体噴射記録装置。
【発明の詳細な説明】
【技術分野】
【０００１】
本発明は、液体噴射記録装置、より詳細には、従来にはない非常に微細な開口を用いる液体噴射ヘッドに使用しても、開口に目詰まりが発生しないようにした液体噴射記録装置に関する。
【背景技術】
【０００２】
ノンインパクト記録法は、記録時における騒音の発生が無視し得る程度に極めて小さいという点において、最近関心を集めている。その中で、高速記録が可能であり、しかも所謂普通紙に特別の定着処理を必要とせずに記録の行える所謂インクジェット記録法は、極めて有力な記録法であって、これまでにも様々な方式が提案され改良が加えられて商品化されたものもあれば、現在もなお実用化への努力が続けられているものもある。
【０００３】
このようなインクジェット記録法は、所謂インクと称される記録液体の小滴（droplet）を飛翔させて記録部材に付着させて記録を行うものであって、この記録液体の小滴の発生法及び発生された記録液体小滴の飛翔方向を制御するための方法によって、以下のように種々の方式がある。
【０００４】
例えば、Tele type方式（特許文献１）のものであって、記録液体の小滴の発生を静電吸引的に行い、発生した記録液体小滴を記録信号に応じて電界制御し、記録部材上に記録液体小滴を選択的に付着させて記録を行う静電吸引型のものがある。
【０００５】
また、Sweet方式（特許文献２，３）のものであって、連続振動発生法によって帯電量の制御された記録液体の小滴を発生させ、この発生された帯電量の制御された小滴を一様の電界が掛けられている偏向電極間を飛翔させることで、記録部材上に記録を行う連続流型，荷電制御型のものがある。
【０００６】
また、他の方式として、Hertz方式（特許文献４）のものであって、吐出口とリング状の帯電電極間に電界を掛け、連続振動発生法によって記録液体の小滴を発生霧化させて記録する方式のものがある。即ち、この方式では、吐出口と帯電電極間に掛ける電界強度を記録信号に応じて変調することによって小滴の霧化状態を制御し、記録画像の階調性を出して記録する。
【０００７】
さらに、他の方式として、Stemme方式（特許文献５）がある。この方式は前記３つの方式とは根本的に原理が異なるものである。即ち、前記３つの方式は、何れも吐出口より吐出された記録液体の小滴を飛翔している途中で電気的に制御し、記録信号を担った小滴を選択的に記録部材上に付着させて記録を行うのに対して、このStemme方式は、記録信号に応じて吐出口より記録液体の小滴を吐出飛翔させて記録するものである。つまり、Stemme方式は、記録液体を吐出する吐出口を有する記録ヘッドに付設されているピエゾ振動素子に電気的な記録信号を印加し、この電気的記録信号をピエゾ振動素子の機械的振動に変え、該機械的振動に従って前記吐出口より記録液体の小滴を吐出飛翔させて記録部材に付着させることで記録を行うもので、いわゆる、ドロップオンデマンド型と呼ばれているものである。
【０００８】
さらに、他の方式として、先に本出願人が提案した方式（特許文献６）がある。この方式も記録信号に応じて吐出口より記録液体の小滴を吐出飛翔させて記録するいわゆるドロップオンデマンド型であるが、液室内のインクを加熱してインクの中で気泡を発生せしめ、その気泡の作用力により吐出口よりインク滴を吐出させる、いわゆる、バブルインクジェット型と呼ばれているものである。
【０００９】
上述のように、インクジェット記録法は、その原理によって様々な方式があるが、共通していえることは所謂インクと称される記録液体の小滴（droplet）を飛翔させて記録部材に付着させて記録を行う点である。そして、このインクと称される記録液体であるが、水溶性の染料を溶解した記録液体を使用するのが一般的である。ところが、近年、耐水性や耐光性が重視されるようになり、記録液体の着色剤として堅牢性の強い顔料がインクジェット記録用として使用されることが期待されている。
【００１０】
例えば、印字品位，吐出特性，保存安定性，定着性等の基本的な課題を満たすインクジェット用の水性顔料インクとしては、特開平２−２５５８７５号公報（特許文献７），特開平４−３３４８７０号公報（特許文献８），特開平４−５７８５９号公報（特許文献９）及び特開平４−５７８６０号公報（特許文献１０）に記載のインクが開示されている。
【００１１】
しかしながら、この顔料は、染料のように液媒体中に溶解するのではなく、分散しているため、液媒体中での安定性が悪く、インク中の顔料の凝集，沈降，分離の発生やノズル部の目詰まりを生じさせるという問題がいまだ解決されていない。
【００１２】
一方で、近年、インクジェット記録の高画質化，高精度化がすすみ、使用されるヘッドの吐出口（ノズル）も、従来はΦ３３μｍ〜Φ３４μｍ（面積でいうと９００μｍ2程度）から、Φ５０μｍ〜Φ５１μｍ（面積でいうと２０００μｍ2程度）のものが一般的であったが、より微細な吐出口が要求されてきている。その際、従来のようにインクとして水溶性の染料を溶解した記録液体を使用するのであれば、染料は液媒体中に溶解しているので対目詰まり性という問題は対処できていた。しかしながら、顔料ベースのインクについては、より微細な吐出口（例えば、Φ２５μｍ以下）となった場合に目詰まりは深刻な問題である。
【００１３】
また、上記の顔料を分散させた記録液体は、あたかも砂利を含んだ川水が山を浸食するかのように、長時間使用しているとインクジェット記録ヘッドのインクの通り道を削り取り、傷を付けるという作用がある。これも単なるインク通路であれば多少の損傷，摩耗は問題ないが、吐出口部分の損傷，摩耗はインク滴吐出性能に影響を及ぼすため問題となる。
【００１４】
特に、近年、インクジェット記録の高画質化，高精度化がすすみ、使用されるヘッドの吐出口（ノズル）も、従来はΦ３３μｍ〜Φ３４μｍ（面積でいうと９００μｍ2程度）から、Φ５０μｍ〜Φ５１μｍ（面積でいうと２０００μｍ2程度）のものが一般的であったが、より微細な吐出口（例えば、Φ２５μｍ以下、面積でいうと５００μｍ2未満）が要求されてきている。その際、従来のように、比較的その吐出口が大きなものは、多少の損傷，摩耗であっても、インク滴吐出性能（噴射の安定性，インクの質量均一性等）にほとんど影響を及ぼさないため、問題とならないが、より微細な吐出口（例えば、Φ２５μｍ以下）となった場合には、わずかの損傷，摩耗であっても、インク滴吐出性能（噴射の安定性，インク質量均一性等）に大きく影響を及ぼし、深刻な問題である。
【特許文献１】米国特許第３０６０４２９号明細書
【特許文献２】米国特許第３５９６２７５号明細書
【特許文献３】米国特許第３２９８０３０号明細書
【特許文献４】米国特許第３４１６１５３号明細書
【特許文献５】米国特許第３７４７１２０号明細書
【特許文献６】特公昭５６−９４２９号公報
【特許文献７】特開平２−２５５８７５号公報
【特許文献８】特開平４−３３４８７０号公報
【特許文献９】特開平４−５７８５９号公報
【特許文献１０】特開平４−５７８６０号公報
【発明の開示】
【発明が解決しようとする課題】
【００１５】
本発明の目的は、微粒子分散液体の分散微粒子径の上限を限定し、Φ２５μｍ以下であるような従来にはない非常に微細な開口を用いる液体噴射ヘッドに使用しても、開口の目詰まりがないようにすることにある。
【課題を解決するための手段】
【００１６】
本発明は、顔料分散型記録液体を、各色に対応する微細な開口からそれぞれ吐出させて被記録体に画像を記録する液体噴射記録装置であって、前記開口をそれぞれ有する液体噴射ヘッドを備え、前記開口の径Ｄｏはいずれも１０μｍ〜２５μｍであり、前記顔料分散型記録液体に分散された顔料粒子の大きさをＤｐとするとき、前記開口の径Ｄｏに対する前記顔料粒子の大きさＤｐの比（Ｄｐ／Ｄｏ）が、Ｄｐ／Ｄｏ≦０.０１であることを特徴としたものである。
【発明の効果】
【００１７】
顔料分散型記録液体を、各色に対応する微細な開口からそれぞれ吐出させて被記録体に画像を記録する液体噴射記録装置であって、前記開口をそれぞれ有する液体噴射ヘッドを備え、前記開口の径Ｄｏはいずれも１０μｍ〜２５μｍであり、前記顔料分散型記録液体に分散された顔料粒子の大きさをＤｐとするとき、前記開口の径Ｄｏに対する前記顔料粒子の大きさＤｐの比（Ｄｐ／Ｄｏ）を、Ｄｐ／Ｄｏ≦０.０１とし、液体中に含有する分散微粒子の微粒子径の上限を限定したので、Φ２５μｍ以下であるような従来にはない非常に微細な開口を用いる液体噴射ヘッドに使用しても開口の目詰まりがなくなり信頼性が向上した。
【発明を実施するための最良の形態】
【００１８】
最初に、本発明が適用されるインクジェットの構成および原理について説明するが、前述のように、インクジェット記録法は各種の方式がある。ここでは、代表例として、バブルインクジェット型の例で説明するが、いうまでもなく本発明はこの方式に限定されるものではなく、全てのインクジェット記録法に適用されるものである。ただし、各種のインクジェット記録法の中でも、インクを加熱して気泡を発生させるいわゆるバブルインクジェット記録法は、インクが過酷な条件にさらされる（ヒートサイクルがある）ため、それにともなう劣化，化学反応の促進，顔料の分散不安定等の面から他のインクジェット記録法よりも、よりいっそう目詰まり等のインクジェットにとって好ましくない技術課題がある。本発明は、このような過酷な条件にさらされるバブルインクジェット記録法にとって、特に好適に適用されるものである。
【００１９】
図１は、バブルインクジェット型記録ヘッドの一例を説明するための図で、図１（Ａ）はヘッド斜視図、図１（Ｂ）はヘッドを構成する蓋基板の斜視図、図１（Ｃ）は該蓋基板を裏側から見た斜視図、図１（Ｄ）は発熱体基板の斜視図であり、図中、１は蓋基板、２は発熱体基板、３は記録液体流入口、４は吐出口、５は流路、６は液室を形成するための領域、７は個別（独立）の制御電極、８は共通電極、９は発熱体である。
【００２０】
ここで蓋基板１は、ガラス基板や金属基板にエッチング等の手法によって、流路５や液室６を形成して製作できるが、最も好適な製作方法は、プラスチックの成形によって形成する手法である。これは最初の金型製作にややコストがかかるものの、その後は大量に生産できるため、１個あたりの製作費を非常に低くできる。その際、本発明では、後述するが、使用するプラスチックの硬さを適切に選ぶことにより吐出口４の部分の損傷，摩耗をなくし、安定したインク滴吐出を得ている。
【００２１】
図２は、バブルインクジェット方式のインクジェットのインク滴吐出の原理を説明するための図である。
図２（Ａ）は定常状態であり、吐出口面でインク１０と表面張力と外圧とが平衡状態にある。
図２（Ｂ）は発熱体９が加熱されて、発熱体９の表面温度が急上昇し隣接インク層に沸騰現象が起きるまで加熱され、微小気泡１１が点在している状態にある。
【００２２】
図２（Ｃ）は発熱体９の全面で急激に加熱された隣接インク層が瞬時に気化し、沸騰膜を作り、気泡１１が成長した状態である。この時、吐出口内の圧力は、気泡の成長した分だけ上昇し、吐出口面での外圧とのバランスがくずれ、吐出口よりインク柱１０′が成長し始める。
【００２３】
図２（Ｄ）は気泡１１が最大に成長した状態であり、吐出口面より気泡の体積に相当する分のインクが押し出される。この時、発熱体９には電流が流れていない状態にあり、発熱体９の表面温度は降下しつつある。気泡１１の体積の最大値は電気パルス印加のタイミングからやや遅れる。
【００２４】
図２（Ｅ）は気泡１１がインクなどにより冷却されて収縮を開始し始めた状態を示す。インク柱１０′の先端部では押し出された速度を保ちつつ前進し、後端部では気泡の収縮に伴って吐出口内圧の減少により吐出口面から吐出口内へインクが逆流してインク柱１０′にくびれ１０″が生じている。
【００２５】
図２（Ｆ）はさらに気泡１１が収縮し、発熱体９の面にインク１０が接し、発熱体面がさらに急激に冷却される状態にある。吐出口面では、外圧が吐出口内圧より高い状態になるためメニスカスが大きく吐出口内に入り込んできている。インク柱の先端部は液滴１２になり、記録紙の方向へ８〜１３ｍ／ｓｅｃの速度で飛翔している。
【００２６】
図２（Ｇ）は吐出口にインクが毛細管現象により再び供給（リフィル）されて図２（Ａ）の状態にもどる過程で、気泡は完全に消滅している。
【００２７】
図３は、図１に示したヘッドとは違い、流路の先端部分に別途ノズル板２０を設けたもので、図３（Ａ）はノズル板２０を取り付ける前の状態、図３（Ｂ）は取り付けた後の状態を示している。この場合も、このノズル板は、樹脂（プラスチック）フィルムに、例えば、エキシマレーザーによってノズル２１を穿孔したり、あるいは金属のエッチング，エレクトロフォーミング，打ち抜き加工等の手法で形成されるが、その材料はその硬さを後述のように適切に選ぶ必要がある。
【００２８】
以上が熱を利用したバブルインクジェット型記録ヘッドの一般的な構成，原理であるが、前述のように本発明は、この方式に限定されるものではなく、全てのインクジェット記録法に適用されるものである。
【００２９】
本発明は、このようなインクジェット記録法に使用する記録液体（インク）を耐水性や耐光性が優れた顔料を記録液体の着色剤として使用するものである。しかしながら、この顔料を記録液体の着色剤として使用した場合、顔料は染料のように液媒体中に溶解するのではなく、分散しているため、液媒体中での安定性が悪く、インク中の顔料の凝集，沈降，分離の発生やノズル部の目詰まりを生じさせるという問題がある。とりわけノズル部の目詰まりは、インクが噴射しなくなるため、インクジェットにとっては致命的問題である。
【００３０】
本発明は、これを解決するために、インクを構成する材料ならびにノズル部の構成および使用する顔料粒径ならびにインク中の顔料含有量などを鋭意検討したものである。本発明では顔料インクを前提に考えている。すなわち、記録液体中の着色剤は、水などの溶媒に溶解している染料ではなく、顔料である微粒子が分散しているものである。
【００３１】
また、本発明は、上記のように、インクジェット記録法に使用する記録液体（インク）を耐水性や耐光性が優れた顔料を記録液体の着色剤として使用するものであるが、しかしながら、この顔料を記録液体の着色剤として使用した場合、顔料は液媒体中に分散している砥粒のような存在であり、インクを大量使用した場合など、インクジェットヘッドのインクの通り道を、損傷させたり摩耗させたりするという問題がある。とりわけ吐出口部分の傷，摩耗はインク滴吐出性能に影響を及ぼすため問題となる。
【００３２】
本発明は、これを解決するために、吐出口部分を構成する材料の硬さやインク流量ならびにノズル部の顔料粒径などを鋭意検討したものである。
【００３３】
本発明に好適に適用される黒色顔料インクとしては、例えば、中性あるいは塩基性のｐＨを有する黒色顔料を、第３級アミンの塩あるいは第４級アンモニウム基を有するアクリル酸エステルモノマーあるいはアクリルアミドモノマーを少なくとも構成成分とする水溶性高分子を用いて分散処理してなるものであり、他の色相のインク，例えば、イエロー，マゼンタ及びシアン等のインクについても、これらの色相の顔料を、カルボキシル基あるいはスルホン基を水溶性基として有するアニオン系高分子分散剤を用いて分散処理してなるものである。
【００３４】
なお、ここでいう黒色顔料のｐＨとは、一般に、カーボンブラックの物性測定法に用いられているのと同様に、純水中に顔料を分散させた場合の溶液のｐＨ値をいう。
また、記録に用いる被記録材が普通紙である場合においては、該普通紙に対するインクの界面張力において、黒色顔料インクの界面張力が、カラーインクの界面張力よりも高いこと、更には、普通紙に対するインクの浸透速度において、黒色顔料インクの浸透速度が、カラーインクの浸透速度よりも遅いことが好ましい。
【００３５】
以上のようなインクを用いて普通紙にカラー記録を行うと、定着性よく、濃度も高く、境界滲みの少ない画像を得ることができる。また、透明性を有する被記録材に記録を行った場合でも鮮明な投影画像が得られる。そして、いうまでもないが、顔料インクであるため、従来の染料インクを用いる場合に較べて、光や水に対する抵抗性は非常に優れたものとなる。
【００３６】
本発明で用いられる高分子分散剤は、主としてビニルモノマーの重合によって得られるものであって、得られる重合体の少なくとも一部を構成するカチオン性モノマーとしては、下記のような第３級アミンモノマーの塩及びこれらの第４級化された化合物が挙げられる。
【００３７】
すなわち、Ｎ，Ｎ−ジメチルアミノエチルメタクリレート［CH2=C(CH3)-COO-C2H4N(CH3)2］、Ｎ，Ｎ−ジメチルアミノエチルアクリレート［CH2=CH-COO-C2H4N(CH3)2］、Ｎ，Ｎ−ジメチルアミノプロピルメタクリレート［CH2=C(CH3)-COO-C3H6N(CH3)2］、Ｎ，Ｎ−ジメチルアミノプロピルアクリレート［CH2=CH-COO-C3H6N(CH3)2］、Ｎ，Ｎ−ジメチルアクリルアミド［CH2=CH-CON(CH3)2］、Ｎ，Ｎ−ジメチルメタクリルアミド［CH2=C(CH3)-CON(CH3)2］、Ｎ，Ｎ−ジメチルアミノエチルアクリルアミド［CH2=CH-CONHC2H4N(CH3)2］、Ｎ，Ｎ−ジメチルアミノエチルメタクリルアミド［CH2=C(CH3)-CONHC2H4N(CH3)2］、Ｎ，Ｎ−ジメチルアミノプロピルアクリルアミド［CH2=CH-CONH-C3H6N(CH3)2］、Ｎ，Ｎ−ジメチルアミノプロピルメタクリルアミド［CH2=C(CH3)-CONH-C3H6N(CH3)2］等である。
【００３８】
第３級アミンの場合において、塩を形成する化合物としては、塩酸，硫酸，酢酸等が挙げられ、４級化に用いられる化合物としては、塩化メチル，ジメチル硫酸，ベンジルクロライド，エピクロロヒドリン等が挙げられる。この中で、塩化メチル，ジメチル硫酸等が分散剤を調製するうえで好ましい。
以上のような第３級アミンの塩、あるいは第４級アンモニウム化合物は水中ではカチオンとして振る舞い、中和された条件では酸性が安定溶解領域である。これらモノマーの共重合体中での含有率は２０〜６０重量％の範囲が好ましい。
【００３９】
上記高分子分散剤の構成に用いられるその他のモノマーとしては、例えば、２−ヒドロキシエチルメタクリレート、長鎖のエチレンオキシド鎖を側鎖に有するアクリル酸エステル等のヒドロキシ基を有するアクリル酸エステル、スチレン系モノマー等の疎水性モノマー類、及びｐＨ７近傍の水に溶解可能な水溶性モノマーとして、アクリルアミド類，ビニルエーテル類，ビニルピロリドン類，ビニルピリジン類，ビニルオキサゾリン類が挙げられる。疎水性モノマーとしては、スチレン，スチレン誘導体，ビニルナフタレン，ビニルナフタレン誘導体，（メタ）アクリル酸のアルキルエステル，アクリロニトリル等の疎水性モノマーが用いられる。共重合によって得られる高分子分散剤中において水溶性モノマーは、共重合体を水溶液中で安定に存在させるために１５〜３５重量％の範囲で用い、かつ疎水性モノマーは、共重合体の顔料に対する分散効果を高めるために２０〜４０重量％の範囲で用いることが好ましい。
【００４０】
本発明のブラックインクに使用されるカーボンブラック顔料（C.I.ピグメントブラック７）としては、＃２６００，＃２３００，＃９９０，＃９８０，＃９６０，＃９５０，＃９００，＃８５０，＃７５０，＃６５０，ＭＣＦ−８８，ＭＡ−６００，＃９５，＃５５，＃５２，＃４７，＃４５，＃４５Ｌ，＃４４，＃４０，＃３３，＃３２，＃３０，＃２５，＃２０，＃１０，＃５（以上、三菱化学製）、Printex９５，Printex９０，Printex８５，Printex８０，Printex７５，Printex４５，Printex４０，PrintexＰ，Printex６０，Printex３００，Printex３０，Printex３５，Printex２５，Printex２００，PrintexＡ，PrintexＧ，PrintexＬ６，PrintexＬ（以上、デグッサ製）、Raven８５０，Raven７８０ＵＬＴＲＡ，Raven７６０ＵＬＴＲＡ，Raven７９０ＵＬＴＲＡ，Raven５２０，Raven５００，Raven４１０，Raven４２０，Raven４３０，Raven４５０，Raven４６０，Raven８９０，Raven１０２０（以上、コロンビア製）、Regal ４１５Ｒ，Regal ３３０Ｒ，Regal ２５０Ｒ，Regal ９９５Ｒ，Monarch８００，Monarch８８０，Monarch９００，Monarch４６０，Monarch２８０，Monarch１２０（以上、キャボット製）等が挙げられる。
【００４１】
イエローインクに使用される顔料としては、C.I.ピグメントイエロー１，C.I.ピグメントイエロー２，C.I.ピグメントイエロー３，C.I.ピグメントイエロー１２，C.I.ピグメントイエロー１３，C.I.ピグメントイエロー１４，C.I.ピグメントイエロー１６，，C.I.ピグメントイエロー１７，C.I.ピグメントイエロー７３，C.I.ピグメントイエロー７４，C.I.ピグメントイエロー７５，C.I.ピグメントイエロー８３，C.I.ピグメントイエロー９３，C.I.ピグメントイエロー９５，C.I.ピグメントイエロー９７，C.I.ピグメントイエロー９８，C.I.ピグメントイエロー１１４，C.I.ピグメントイエロー１２８，C.I.ピグメントイエロー１２９，C.I.ピグメントイエロー１５１，C.I.ピグメントイエロー１５４等が挙げられる。
【００４２】
マゼンタインクに使用される顔料としては、C.I.ピグメントレッド５，C.I.ピグメントレッド７，C.I.ピグメントレッド１２，C.I.ピグメントレッド４８（Ｃａ），C.I.ピグメントレッド４８（Ｍｎ），C.I.ピグメントレッド５７（Ｃａ），C.I.ピグメントレッド５７：１，C.I.ピグメントレッド１１２，C.I.ピグメントレッド１２３，C.I.ピグメントレッド１６８，C.I.ピグメントレッド１８４，C.I.ピグメントレッド２０２等が挙げられる。
【００４３】
シアンインクに使用される顔料としては、C.I.ピグメントブルー１，C.I.ピグメントブルー２，C.I.ピグメントブルー３，C.I.ピグメントブルー１５：３，C.I.ピグメントブルー１５：３４，C.I.ピグメントブルー１６，C.I.ピグメントブルー２２，C.I.ピグメントブルー６０，C.I.バットブルー４，C.I.バットブルー６０等が挙げられる。
【００４４】
以上の他に、レッド，グリーン，ブルーその他の３原色以外の中間色が必要とされる場合には、以下のような顔料を単独あるいは併用して用いることが好ましい。例えば、C.I.ピグメントレッド２０９，C.I.ピグメントレッド１２２，C.I.ピグメントレッド２２４，C.I.ピグメントレッド１７７，C.I.ピグメントレッド１９４，C.I.ピグメントオレンジ４３，C.I.バットバイオレット３，C.I.ピグメントバイオレット１９，C.I.ピグメントグリーン３６，C.I.ピグメントグリーン７，C.I.ピグメントバイオレット２３，C.I.ピグメントバイオレット３７，C.I.ピグメントブルー１５：６，C.I.ピグメントブルー２０９等が挙げられる。
【００４５】
また、カラーインク中には下記に挙げるような染料を共存させてもよい。イエローインクに用いられる染料としては、例えば、C.I.アシッドイエロー１１，C.I.アシッドイエロー１７，C.I.アシッドイエロー２３，C.I.アシッドイエロー２５，C.I.アシッドイエロー２９，C.I.アシッドイエロー４２，C.I.アシッドイエロー４９，C.I.アシッドイエロー６１，C.I.アシッドイエロー７１，C.I.ダイレクトイエロー１２，C.I.ダイレクトイエロー２４，C.I.ダイレクトイエロー２６，C.I.ダイレクトイエロー４４，C.I.ダイレクトイエロー８６，C.I.ダイレクトイエロー８７，C.I.ダイレクトイエロー９８，C.I.ダイレクトイエロー１００，C.I.ダイレクトイエロー１３０，C.I.ダイレクトイエロー１４２等が挙げられる。
【００４６】
マゼンタインクに用いられる染料としては、C.I.アシッドレッド１，C.I.アシッドレッド６，C.I.アシッドレッド８，C.I.アシッドレッド３２，C.I.アシッドレッド３５，C.I.アシッドレッド３７，C.I.アシッドレッド５１，C.I.アシッドレッド５２，C.I.アシッドレッド８０，C.I.アシッドレッド８５，C.I.アシッドレッド８７，C.I.アシッドレッド９２，C.I.アシッドレッド９４，C.I.アシッドレッド１１５，C.I.アシッドレッド１８０，C.I.アシッドレッド２５４，C.I.アシッドレッド２５６，C.I.アシッドレッド２８９，C.I.アシッドレッド３１５，C.I.アシッドレッド３１７，C.I.ダイレクトレッド１，C.I.ダイレクトレッド４，C.I.ダイレクトレッド１３，C.I.ダイレクトレッド１７，C.I.ダイレクトレッド２３，C.I.ダイレクトレッド２８，C.I.ダイレクトレッド３１，C.I.ダイレクトレッド６２，C.I.ダイレクトレッド７９，C.I.ダイレクトレッド８１，C.I.ダイレクトレッド８３，C.I.ダイレクトレッド８９，C.I.ダイレクトレッド２２７，C.I.ダイレクトレッド２４０，C.I.ダイレクトレッド２４２，C.I.ダイレクトレッド２４３等が挙げられる。
【００４７】
シアンインクに用いられる染料としては、C.I.アシッドブルー９，C.I.アシッドブルー２２，C.I.アシッドブルー４０，C.I.アシッドブルー５９，C.I.アシッドブルー９３，C.I.アシッドブルー１０２，C.I.アシッドブルー１０４，C.I.アシッドブルー１１３，C.I.アシッドブルー１１７，C.I.アシッドブルー１２０，C.I.アシッドブルー１６７，C.I.アシッドブルー２２９，C.I.アシッドブルー２３４，C.I.アシッドブルー２５４，C.I.ダイレクトブルー６，C.I.ダイレクトブルー２２，C.I.ダイレクトブルー２５，C.I.ダイレクトブルー７１，C.I.ダイレクトブルー７８，C.I.ダイレクトブルー８６，C.I.ダイレクトブルー９０，C.I.ダイレクトブルー１０６，C.I.ダイレクトブルー１９９等が挙げられる。
ただし、これらの染料を共存させる場合も、顔料粒径ならびにインク中の顔料含有量などは後述する範囲内に入っている必要がある。
【００４８】
本発明において、前記したカチオン系水溶性高分子を分散剤として使用して顔料を分散する際に、物性面から好ましい顔料としては、等電点が６以上に調節された顔料、あるいは顔料を特徴づける単純水分散体のｐＨが中性あるいは塩基性のｐＨを有するもの、例えば、７以上〜１０であるような顔料が分散性の点で好ましい。これは顔料とカチオン系水溶性高分子とのイオン的な相互作用力が強いためと理解されている。
【００４９】
以上のような材料を用いて顔料の微粒子水性分散体を得るには、以下のような方法を採用することが好ましい。
（１）カーボンブラックの場合：カーボンブラックをカチオン分散剤溶液中にてプレミキシング処理を行い、引き続き高ずり速度の分散装置でミリングし、希釈後、粗大粒子を除去するために遠心分離処理を行う。その後、所望のインク処方のための材料を添加し、場合によっては、エイジング処理を施す。しかる後、最終的に所望の平均粒径を有する顔料分散体を得るために遠心分離処理を行う。このようにして作製されるインクのｐＨは３〜９の範囲とするのが好ましい。
【００５０】
（２）その他の色相の顔料の場合：アニオン系分散剤を用いる以外は、基本的にはカーボンブラックと同様である。但し、小粒径にするのが困難な有機顔料の場合には、顔料合成と同時、あるいは合成途中段階で界面活性剤処理を行い、顔料粒子の結晶成長を抑制し、濡れ性を高めた加工顔料を使用することが望ましい。このようにして作製したインクのｐＨは５〜１０の範囲とするのが好ましい。カーボン黒色インク及びカラーインク何れの場合でも、その平均粒径は０.０２〜１μｍの範囲であることが分散体の安定性上必須であり、好ましくは、０.０３〜０.４μｍの範囲である。これは分散体の安定性という観点からの必須条件であるが、微細な開口からインクを吐出させるといういわゆるインクジェットに必須という観点から、この平均粒径を検討すると微細な開口すなわち吐出口での目詰まりを考慮に入れる必要があるが、これは後述する。なお、良好なインクの表面張力は１０〜６０ｄｙｎ／ｃｍの範囲である。
【００５１】
これらのインクを用いて普通紙へ記録する場合には、記録される文字の鮮明さの点から、黒色顔料インクは用紙との界面張力が高いことが好ましい。一方、カラーインクは、カラーインク間の相互拡散による滲み（カラーブリード）を少なくするために、速い浸透速度を持つことがよい結果となるので、用紙との界面張力が低いことが好ましい。このように、黒色インクが酸性で高い界面張力を持ち、カラーインクが塩基性で低い界面張力を持っていると、黒色インクが、カラーインク側に流れ込む傾向が少なくなり、黒色インクとカラーインクのカラーブリードは事実上全くなくなる。なお、上記のインクと用紙の界面張力は、例えば、動的濡れ性試験機として市販されている装置（Wilhelmy法を用いた装置で、製品名称WET-3000レスカ株式会社製）等によって測定される量である。界面張力が高いとは、普通紙に対する接触角が１秒〜数秒の短時間においても、９０゜以上であることを指し、界面張力が低いとは、９０゜以下であることを指している。
【００５２】
本発明で使用するカラーインクに使用される分散剤は、アルカリ可溶性の水溶性脂樹であり、重量平均分子量は１,０００〜３０,０００であり、好ましくは３,０００〜１５,０００の範囲である。具体的には、スチレン，スチレン誘導体，ビニルナフタレン，ビニルナフタレン誘導体，アクリル酸のアルキルエステル，メタクリル酸のアルキルエステル等の疎水性モノマーと、α，β−エチレン性不飽和カルボン酸及びその脂肪族アルコールエステル，アクリル酸，メタクリル酸，マレイン酸，イタコン酸，フマール酸及びそれらの誘導体等の親水性モノマーからなる共重合体及びそれらの塩等である。共重合体はランダム，ブロック，グラフト等の何れの構造を有していてもよく、酸価は１００〜４３０、好ましくは、１３０〜３６０の範囲である。
【００５３】
本発明に使用される分散剤としては、更に、ポリビニルアルコール，カルボキシメチルセルロース等の水溶性ポリマー，ナフタレンスルホン酸ホルムアルデヒド縮合物，ポリスチレンスルホン酸等の水溶性樹脂も使用することが可能である。しかし、アルカリ可溶性の水溶性脂樹の方が分散液の低粘度化が可能で、分散も容易であるという利点がある。これらの分散剤の使用量は、選択した顔料と分散剤とを用いて実験的に決定されるが、顔料に吸着せず溶解している樹脂の量は、インク中で４重量％以下であることが好ましい。
【００５４】
上記分散剤を水系にて用いるには塩基が必要である。そのために好適な塩基としては、エタノールアミン，ジエタノールアミン，トリエタノールアミン，Ｎ−メチルエタノールアミン，Ｎ−エチルジエタノールアミン，２−アミノ−２−メチルプロパノール，２−エチル−２−アミノ−１，３−プロパンジオール，２−（２−アミノエチル）エタノールアミン，トリス（ヒドロキシメチル）アミノメタン，アンモニア，ピペリジン，モルフォリン，β−ジヒドロキシエチル尿素等の有機塩基，水酸化ナトリウム，水酸化カリウム，水酸化リチウム等の無機塩基が挙げられる。最適な塩基種は選択した顔料及び分散剤の種類によって異なるが不揮発性で安定、かつ保水性の高いものが好ましい。用いる塩基の量は基本的には分散剤の酸価から計算される量から、それを中和するに必要な塩基量として夫々用いられる。場合によっては、酸の当量を上回る量の塩基を用いる場合がある。それは、分散性向上，インクのｐＨ調整，記録性能の調整，保湿性の向上等の目的で行う。
【００５５】
本発明においてインクに用いられる溶剤としては、水と混和性がある有機溶剤類である。有機溶剤としては下記の如く３群に分けることができる。即ち、保湿性が高く，蒸発しにくく，親水性に優れる第１群の溶剤、有機性があり疎水性の表面への濡れ性がよく、蒸発乾燥性もある第２群の溶剤、適度の濡れ性を有し低粘度の第３群の溶剤（一価アルコール類）である。
【００５６】
第１群に属する溶媒としては、エチレングリコール、ジエチレングリコール、トリエチレングリコール、トリプロピレングリコール、グリセリン、１，２，４−ブタントリオール、１，２，６−ヘキサントリオール、１，２，５−ペンタントリオール、１，２−ブタンジオール、１，３−ブタンジオール、１，４−ブタンジオール、ジメチルスルホキシド、ダイアセトンアルコール、グリセリンモノアリルエーテル、プロピレングリコール、ブチレングリコール、ポリエチレングリコール３００、チオジグリコール、Ｎ−メチル−２−ピロリドン、２−ピロリドン、γ−ブチロラクトン、１，３−ジメチル−２−イミダゾリジノン、スルフォラン、トリメチロールプロパン、トリメチロールエタン、ネオペンチルグリコール、エチレングリコールモノメチルエーテル、エチレングリコールモノエチルエーテル、エチレングリコールモノイソプロピルエーテル、エチレングリコールモノアリルエーテル、ジエチレングリコールモノメチルエーテル、ジエチレングリコールモノエチルエーテル、トリエチレングリコールモノメチルエーテル、トリエチレングリコールモノエチルエーテル、プロピレングリコールモノメチルエーテル、ジプロピレングリコールモノメチルエーテル、β−ジヒドロキシエチルウレア、ウレア、アセトニルアセトン、ヘンタエリスリトール、１，４−シクロヘキサンジオール等が挙げられる。
【００５７】
第２群に属する溶媒としては、ヘキシレングリコール、エチレングリコールモノプロピルエーテル、エチレングリコールモノブチルエーテル、エチレングリコールモノイソブチルエーテル、エチレングリコールモノフェニルエーテル、ジエチレングリコールジエチルエーテル、ジエチレングリコールモノブチルエーテル、ジエチレングリコールモノイソブチルエーテル、トリエチレングリコールモノブチルエーテル、トリエチレングリコールジメチルエーテル、トリエチレングリコールジエチルエーテル、テトラエチレングリコールジメチルエーテル、テトラエチレングリコールジエチルエーテル、プロピレングリコールモノブチルエーテル、ジプロピレングリコールモノメチルエーテル、ジプロピレングリコールモノエチルエーテル、ジプロピレングリコールモノプロピルエーテル、ジプロピレングリコールモノブチルエーテル、トリプロピレングリコールモノメチルエーテル、グリセリンモノアセテート、グリセリンジアセテート、グリセリントリアセテート、エチレングリコールモノメチルエーテルアセテート、ジエチレングリコールモノメチルエーテルアセテート、シクロヘキサノール、１，２−シクロヘキサンジオール、１−ブタノール、３−メチル−１，５−ペンタンジオール、３−ヘキセン−２，５−ジオール、２，３−ブタンジオール、１，５−ペンタンジオール、２，４−ペンタンジオール、２，５−ヘキサンジオール等が挙げられる。
【００５８】
第３群に属する溶媒としては、エタノール、ｎ−プロパノール、２−プロパノール、１−メトキシ−２−プロパノール、フルフリルアルコール、テトラヒドロフルフリルアルコール等が挙げられる。以上のような水溶性溶媒の総量は、おおむねインク全体に対して５〜４０重量％の範囲で使用することが好ましい。
【００５９】
本発明のインクを構成する各水性顔料インクには、界面活性剤，ｐＨ調整剤，防腐剤等を添加することが可能である。界面活性剤は浸透性の高いカラーインクの調製，バブルインクジェット方式における発熱ヒーター，吐出ノズル表面への濡れ性の調節等に有益である。材料としては既存の市販品から適宜選択することができる。以上のような材料から構成される各インクの物性をまとめると、黒色インクは、高い表面張力（概略３０〜６０ｄｙｎ／ｃｍ）を有し、一方、カラーインクは低い表面張力（概略１０〜４０ｄｙｎ／ｃｍ）を有することが好ましい。
【００６０】
以上のような、本発明における黒色水性顔料インクとカラーインクを使用して普通紙に対してカラー記録を行うと、黒の文字等が鮮明であり、画像やグラフと黒の文字が隣り合っていても相互滲みがなく夫々明瞭である。
【００６１】
本発明のカラーインクを使用する場合、被記録材としては、一般の普通紙（例えば、上質紙，中質紙あるいはボンド紙等），コート紙，ＯＨＰ用のプラスチックフィルム等の何れでも使用することができる。前述のように、本発明は全てのインクジェット記録方式に適用できるが、中でも、熱エネルギーによるインクの発泡現象によってインクを吐出させるタイプのインクジェット記録方法に使用する場合に特に好適であり、インクの吐出が極めて安定し、サテライトドットの発生等が生じないという特徴がある。但し、この場合に熱的な物性、例えば、比重，熱膨張係数及び熱伝導率等を調整する必要が生ずることもある。
【００６２】
次に、本発明のより特徴的な点について説明する。前述のように、本発明は、微細な開口からインクを吐出させるといういわゆるインクジェット記録方式に関するものであり、インクジェット記録方式にとって、吐出口部における目詰まりは致命的なものである。これは染料インクを使用するものより、本発明のように、溶媒中に微粒子を分散させた顔料インクを使用するものでは、顔料が染料のように溶解しているわけではなく分散しているだけなので、より目詰まりが起こりやすい。さらに、本発明では、従来にはない微細な吐出口径、例えば、吐出口径がΦ２５μｍ以下（面積でいうならば５００μｍ2未満）であるようなインクジェット記録ヘッドを想定しているので、この目詰まりは大変深刻な問題である。
【００６３】
ところで目詰まりとは、微細な開口からインクが噴射するというインクジェット記録方式の原理そのものに由来するものである。つまり、開口が微細であるがゆえに生じるものである。よって、その開口の大きさと、いわばインク中の異物とでもいうべき顔料の大きさには密接な関係がある。
【００６４】
本発明は、この点に鑑み、吐出口の大きさと顔料粒子の大きさに着目し、目詰まりの生じにくさとそれらの関係を見い出したものである。具体的には、顔料粒子径を変えたインクを調合し、吐出口の大きさがわかっているインクジェット記録ヘッドを使用し、一定時間インク噴射を行った後、一定時間放置し、インク噴射を再開し、吐出口の目詰まりの有無を調べた。その場合、吐出口の完全閉塞だけではなく、部分的な目詰まりおよびそれに至る事前の兆候（わずかな目詰まり）も目詰まりとみなしてテストした。
【００６５】
使用したヘッドは、図１に示したような構成の熱エネルギーを使用するインクジェット記録方式のヘッドである。但し、図１に示したヘッドは、流路の先端がそのまま吐出口になっているものを示したが、実験に使用したものは、図３に示すように、この先端に流路の配列密度４と同じ配列密度で形成したノズル２１を有するノズル板２０を設けたものである（図３（Ａ）はノズル板２０を取り付ける前の斜視図、図３（Ｂ）は取り付けた後の斜視図である）。また、その吐出口（ノズル）の数も、図１，図３に示したものは説明を簡単にするため吐出口が４個しかないもの、あるいは部分的に示したものであるが、実際に使用したのは吐出口の数が１２８個で、その配列密度が４００ｄｐｉのものでる。また、発熱体の大きさは２２μｍ×９０μｍで、その抵抗値は１１０Ωであり、インク噴射の駆動電圧は２４Ｖ，駆動パルス巾は６.５μｓ，駆動周波数は１２ｋＨｚとした。なお、記録ヘッドはＨ１〜Ｈ４まで用意した（それぞれの吐出口径をＨ１＝Φ２５μｍ，Ｈ２＝Φ２０μｍ，Ｈ３＝Φ１５μｍ，Ｈ４＝Φ１０μｍとした）。また、そのノズル板の厚さは、全て４０μｍとした。
【００６６】
使用したインクは、以下のような組成および製法によるものであるが、顔料粒径が０.００５〜１μｍまで変えたものを準備し、吐出口径の異なるＨ１〜Ｈ４と組み合わせてテストした。また、一定時間インク噴射を行った後の放置の条件は、温度４０℃，湿度３０％の雰囲気中で１０時間放置である。
【００６７】
インクの製法を以下に示す。
スチレン／メタクリル酸／ブチルアクリレートからなる、酸価３２５、重量平均分子量１１,０００、ガラス転移温度８４℃の共重合体Ｐをカリウムを用いて溶解した水溶液を用い、以下のカーボンブラック分散体Ｄ１〜Ｄ１０を作製した。
・共重合体Ｐ水溶液（固形分２０重量％）              ４０部
・カーボンブラック  ＭＣＦ−８８（三菱化学製）      ２４部
・ジエチレングリコール                              ２０部
・イソプロピルアルコール                            １０部
・水                                              １３０部
【００６８】
これらの材料をバッチ式縦型サンドミル（アイメックス製）に仕込み、１ｍｍ径のガラスビーズをメディアとして充填し、水冷しつつ３時間分散処理を行った。分散後の液の粘度は１７ｃＰ，ｐＨ＝９.６の粗分散体を得た。この分散液を遠心分離機にかけ粗大粒子を除去し、また、遠心分離の条件を種々変えることによって顔料の平均粒径を０.００５〜１μｍまで変えた分散体Ｄ１〜Ｄ１７を得た。これらの分散体を水にて希釈し、粘度２.５ｃＰ，表面張力４５ｄｙｎ／ｃｍ，ｐＨ＝９.５の黒色塩基性インクジェット用インクＢ１〜Ｂ１７を得た。最終調製物の固形分は約７重量％であった。なお、これらのインク中の最終的な顔料含有率は５重量％である。なお、平均粒径は、動的光散乱法による粒度分布測定装置ＥＬＳ−８００（大塚電子製）にて測定を行い、平均量は自己相関関数の初期勾配から得られる値で示した。
【００６９】
これらのインクＢ１〜Ｂ１７と上記の吐出口径を変えたヘッドＨ１〜Ｈ４を組み合わせて、目詰まりの発生状況を調べた結果を表１〜表４に記す。
但し、表１はヘッドＨ１（吐出口径Ｄｏ＝Φ２５μｍ）の場合
表２はヘッドＨ２（吐出口径Ｄｏ＝Φ２０μｍ）の場合
表３はヘッドＨ３（吐出口径Ｄｏ＝Φ１５μｍ）の場合
表４はヘッドＨ４（吐出口径Ｄｏ＝Φ１０μｍ）の場合
を示す。
【００７０】
【表１】
2006289984.tif 000002
【００７１】
【表２】
2006289984.tif 000003
【００７２】
【表３】
2006289984.tif 000004
【００７３】
【表４】
2006289984.tif 000005
【００７４】
以上の結果より、顔料粒径Ｄｐと吐出口径Ｄｏとは、０.００１≦Ｄｐ／Ｄｏ≦０.０１の関係を満足するようにすれば目詰まりのない安定したインク噴射が得られることがわかる。（なお、下限の０.００１≦Ｄｐ／Ｄｏは目詰まりの技術課題と関係なく、インクがやや不安定という課題解決に起因するものである。）。また、実験では、吐出口が丸いもので行っているが、他の形状（多角形）の場合は、その面積比で換算した範囲内にすればよい。
【００７５】
次に本発明の他の特徴について説明する。前述のように本発明は、顔料インクを前提に考えている。すなわち、記録液体中の着色剤は、水などの溶媒に溶解している染料ではなく、顔料である微粒子が分散しているものである。よって、その顔料含有量や固形分を含む顔料の分散剤のインク中の含有量は、目詰まりに対して大きな影響をおよぼす。そこで、ここでは、それらの含有量と吐出口の目詰まりの関係について調べた。
【００７６】
使用したヘッドは、前記ヘッドＨ２（吐出口径Ｄｏ＝Φ２０μｍ）と同じものであり、顔料粒径Ｄｐ＝０.０３μｍのインク（Ｂ４）において、その顔料含有量と顔料分散剤としてのスチレン／メタクリル酸／ブチルアクリレートからなる共重合体Ｐの量を変えて、最終的なインク中の固形分の量と目詰まりのしやすさを調べた。目詰まりテストの方法などは、前述の方法と同じである。結果を表５に示す。
【００７７】
【表５】
2006289984.tif 000006
【００７８】
以上の結果より、インク中の顔料含有量は１〜１０重量％にすればよく、それより多くすると目詰まりが生ずることがわかる。また、顔料含有量だけでなく、顔料も含む最終的な固形分の量も１５重量％以下にしなければならないこともわかる。なお、顔料含有量が１重量％の場合は目詰まりの心配はないが、このインクだけで使用する場合は濃度が低くて実用的ではない。ただし、複数の種類のいわゆる濃淡インクを用いる記録装置の淡いインクとして好適に使用できる。また、このインクだけで使用する場合であっても、染料を添加して濃度不足分を補うことは可能である。
【００７９】
次に、本発明のさらに他の特徴について説明する。本発明が適用されるインクジェット記録ヘッドは、一般的にはカラー記録に好適に適用されるので、ここでは、本発明が好適に適用されるカラーインクジェット記録ヘッドの構成を説明する。
【００８０】
図４は、本発明のインクジェットヘッドの一例を示す図で、本発明では、図示のように、１枚の共通の発熱体基板部３０の上に、複数色のインク吐出エレメント３１Ｙ，３１Ｍ，３１Ｃを形成してなる。この例では、複数色のインクとして、イエロー（Ｙ），マゼンタ（Ｍ），シアン（Ｃ）の３色の例を示している。なお、この例、およびこれ以降の例で、各色のインク吐出エレメント，吐出口は、図を簡単にするため、各色４個あるいは５個で説明するが、実際には、各色６４〜５１２個が好適に使用される。
【００８１】
図５は、図４の記録ヘッド部に、それぞれＹ，Ｍ，Ｃのインクが供給されるようなインクタンク部４０を設けた図を示す。なお、この図は、記録ヘッド部とインクタンク部とで構成される本発明のインクジェット記録ヘッドの概念を示す図であり、実際のもの（後述する）とは異なる。
【００８２】
図６は、本発明によるインクジェットヘッドをキャリッジ上に搭載して記録を行う、いわゆるシリアルプリンタの構成を示す図で、図中、５０は本発明によるインクジェットヘッド、５１は記録紙、５２はキャリッジ、５３はキャリッジのガイドロッド、５４はキャリッジを移動させるためのネジ棒、５５は記録紙搬送ローラ、５６は記録紙おさえコロで、周知のように、縦方向（記録紙５１の移動方向）にＹ，Ｍ，Ｃと１列に配列された記録ヘッド５０（図示例の場合、図５に示したヘッドが搭載されている）を、記録紙５１の前をＸ方向に往復運動しながら記録を行う。本発明では、キャリッジを１回走査するごとに記録紙を図の矢印Ｙ方向に移動していく。従って、１回の走査で記録される領域は、ヘッドの吐出エレメント、つまり、吐出口の列の長さ分だけである。また、Ｙ，Ｍ，Ｃは縦方向に１列に並んでいるので、２回以上の走査によって、Ｙ，Ｍ，Ｃのインクによる印写領域がオーバーラップすることにより、はじめてフルカラー記録を行うことができる。
【００８３】
なお、以上の説明は、Ｙ，Ｍ，Ｃの３色の例を示したが、本発明では、これにブラック（Ｂ）を加えた４色の吐出口列を持つインクジェットにも適用される。図７にその例を示すが、この場合、図示のように、図４に示した例に、更にブラック用のインク吐出エレメント３１Ｂを付加したものとなる。
【００８４】
図８は、４色の吐出口列を持つ他の例である。図４には、各色のインク流路を独立に製作した例を示しているが、この図は、４色分の流路を一体的にプラスチック６０の成形で製作した例である。こうすることにより、そのアセンブリコストは著しく下げることができる。
【００８５】
通常、カラーインクジェット記録装置は、図１に示したような１つの記録ヘッドに１色のインクを充填し、これを複数色分、図９のように、キャリッジ７０上に並べて構成する。７１Ｂ，７１Ｃ，７１Ｍ，７１Ｙはそれぞれブラック，シアン，マゼンタ，イエローの各カラーインクを吐出するための記録ヘッドである。これは、一つには目詰まり対策等の信頼性確保のためである。例えば、図５のように４色のインクを充填したヘッド７１Ｂ，７１Ｃ，７１Ｍ，７１Ｙを独立にキャリッジ７０上に並べて構成した場合、仮にどれか１色のヘッドが目詰まりを起こした場合、その１色のヘッドを交換することにより、もとの状態に回復させることができる。
【００８６】
一方、本発明では、図４〜図８に示した、複数色にインクを吐出させるための記録ヘッドを一体的に形成している。前述のように、目詰まりを起こした場合の回復措置を考えると、図９に示したように、複数色のインクを充填したヘッドを独立にキャリッジ上に並べて構成するほうが有利ではあるが、本発明では前述のように、その顔料粒径，含有率あるいはインク中の固形分の量を鋭意検討して最適化したため、目詰まりの不安は解消している。よって、図５に示したような複数色のインクを充填したヘッドを独立にキャリッジ上に並べて構成する必要はなく、アセンブリコストの低減，コンパクト性の実現，複数色のドット位置精度の高精度化のために、図４〜図８に示したように、複数色のインクを吐出させるための記録ヘッドを一体的に形成している。
【００８７】
なお、ここでいう一体的形成とは、図４〜図８に示したバブルインクジェットヘッドの例のように発熱体基板を共通の１枚の基板にした例のみならず、図１０に示すように複数色のインクを充填したヘッド、例えば、７１Ｂ，７１Ｃ，７１Ｍ，７１Ｙを積層して一体化したものも含む。この例では、流路の先端７２Ｂ，７２Ｃ，７２Ｍ，７２Ｙに共通の１枚のノズル板７３を設けた例を示しており（図１０（Ａ）はノズル板７３を取り付ける前、図１０（Ｂ）は取り付けた後の斜視図）、この場合は、高精度に穿孔，アセンブリ化，一体化された共通の１枚のノズル板７３を設けているため、製造コストの低減のみならず、複数色のドット位置精度も高精度が得られる。
【００８８】
図１１は、複数色（この例では、Ｙ，Ｍ，Ｃの３色）のインクを噴射できるヘッドユニットをインク容器部と一体的に形成した例であり、図１１（Ａ）は全体斜視図、図１１（Ｂ）は分解斜視図で、図中、１００はヘッドユニット、１０１はヘッドチップ、１０２はプリントサーキット、１０３は上蓋、１０４はインク容器部、１０５（１０５Ｙ，１０５Ｍ，１０５Ｃ）はステレスメッシュフィルタ、１０６（１０６Ｙ，１０６Ｍ，１０６Ｃ）はインクを含んだフォーム材、１０７は底蓋、この例では、ヘッド部およびそれに連絡するインク容器部を内部で３つに分けて、Ｙ，Ｍ，Ｃののインクを別々に充填したものである。このように、複数色を一体型にしたヘッドユニットは、非常にコンパクトに形成できるので、キャリッジに搭載する際、軽量小型であるため、小さなキャリッジですみ、また、キャリッジを駆動するモータも小型，省エネルギーが実現できる。
【００８９】
図１２は、図１１に示した複数色のインク容器一体型ヘッドユニットにおいて、インク容器部のみを分離可能な構成とした場合の例を説明するための図で、図１２（Ａ）はヘッドユニット１１０の全体斜視図、図１２（Ｂ）は該ヘッドユニット１１０を記録ヘッド部１１１とインク容器部１１２を分離した状態の斜視図を示す。これにより、カラーイメージ印写で大量にインクを消費してもインク容器部１１２のみを交換すればよいので、コスト低減が実現する。しかも、図１１で説明したカラーの一体型ヘッドの利点はそのまま維持される。
【００９０】
図１３は、上記のような一体型ヘッドユニットで、インクの色ごとにインク容器部を分離できるようにした例を説明するための図で、図１３（Ａ）は全体斜視図、図１３（Ｂ）はヘッドユニット１１０の記録ヘッド部１１１と各色のインク容器部１１２（１１２Ｙ，１１２Ｍ，１１２Ｃ）を分離した状態の斜視図を示す。このようにすることのメリットは、カラーイメージ印写では、必ずしもＹ，Ｍ，Ｃのインクが同じスピードで消費されるわけではないので、もし、図１１，図１２の例において、どれかのインクがなくなった時に他のインクが残っていても、ヘッドユニットあるいは一体型インク容器全体を交換しなければならず、ランニングコストの面で不利であるのに対して、本発明のように各色のインク容器を別々にしておくことにより、なくなってインクの容器のみ交換することで、より一層のランニングコストの低減が実現する。
【００９１】
前述のように、目詰まりとは、微細な開口からインクが噴射するというインクジェット記録方式の原理そのものに由来するものである。つまり、開口が微細であるがゆえに生じるものである。よって、その開口すなわち吐出口の各ディメンション，形状，性状と、いわばインク中の異物とでもいうべき顔料の大きさとには密接な関係がある。
【００９２】
本発明は、この点に鑑み、吐出口の各ディメンション，形状，性状と顔料粒子の大きさに着目し、目詰まりの生じにくさとそれらの関係を見い出したものである。具体的には、顔料粒子径を変えたインクを調合し、各ディメンション，形状，性状がわかっているインクジェット記録ヘッドを使用し、一定時間インク噴射を行った後、一定時間放置し、インク噴射を再開し、吐出口の目詰まりの有無を調べた。その場合、吐出口の完全閉塞だけではなく、部分的な目詰まりおよびそれに至る事前の兆候（わずかな目詰まり）も目詰まりとみなしてテストした。
【００９３】
使用したヘッドは、図１に示したような構成の熱エネルギーを使用するインクジェット記録方式のヘッドである。ただし図１に示したヘッドは、流路の先端がそのまま吐出口になっているものを示したが、実験に使用したものは、図３に示すように、この先端に流路の配列密度と同じ配列密度で形成したノズル２１を有するノズル板２０を設けたものである。また、その吐出口（ノズル）の数も、図１，図３に示したものは、説明を簡単にするため吐出口が４個しかないものであるが、実際に使用したのは吐出口の数が１２８個で、その配列密度が４００ｄｐｉのものである。また、発熱体の大きさは２２μｍ×９０μｍで、その抵抗値は１１０Ωであり、インク噴射の駆動電圧は２４Ｖ，駆動パルス幅は６.５μｓ，駆動周波数は１２ｋＨｚとした。なお、記録ヘッドは吐出口径をΦ２５μｍとし、吐出口部の厚さ（吐出口部の奥行き部分の距離）を変えた３種類のヘッド（Ｈ１〜Ｈ３）を用意した（それぞれ吐出口部の厚さを、ｔ＝４０μｍ（Ｈ１），５０μｍ（Ｈ２），６０μｍ（Ｈ３）とした）。
【００９４】
使用したインクは、以下のような組成および製法によるものであるが、顔料粒径が０.００５〜４μｍまで変えたものを準備し、吐出口径の異なるヘッドＨ１〜Ｈ３と組み合わせてテストした。また、一定時間インク噴射を行った後の放置の条件は、温度４０℃，湿度３０％の雰囲気中で１０時間放置である。
【００９５】
インクの製法を以下に示す。
スチレン／アクリル酸／エチルアクリレートからなる、酸価２９０、重量平均分子量５,０００、ガラス転移温度７７℃の共重合体Ｐをモノエタノールアミンを用いて溶解した水溶液を用い、アントラキノン系顔料ピグメントレッド−１７７分散体Ｄ１〜Ｄ２０を作製した。
・共重合体Ｐ水溶液（固形分１５重量％）                    ４０部
・ピグメントレッド−１７７（クロモフタールレッドＡ２Ｂ，
チバガイギー製）                                        ２４部
・ジエチレングリコール                                    ２０部
・イソプロピルアルコール                                  １０部
・水                                                    １３０部
【００９６】
これらの材料をバッチ式縦型サンドミル（アイメックス製）に仕込み、１ｍｍ径のガラスビーズをメディアとして充填し、水冷しつつ３時間分散処理を行った。分散後の液の粘度は３０ｃＰ，ｐＨ＝９.８の粗分散体を得た。この分散液を遠心分離機にかけ粗大粒子を除去し、また、遠心分離の条件を種々変えることによって顔料の平均粒径を０.００５〜４μｍまで変えた分散体Ｄ１〜Ｄ２０を得た。これらの分散体を水，ジエチレングリコール，エチレングリコールモノブチルエーテル（６０：２５：１５重量比）にて希釈し、粘度３ｃＰ，表面張力４０ｄｙｎ／ｃｍ，ｐＨ＝９.５の赤色塩基性インクジェット用インクＲ１〜Ｒ２０を得た。最終調製物の固形分は約７.５重量％であった。なお、これらのインク中の最終的な顔料含有率は５重量％である。
【００９７】
なお、平均粒径は、動的光散乱法による粒度分布測定装置ＥＬＳ−８００（大塚電子製）にて測定を行い、平均量は自己相関関数の初期勾配から得られる値で示した。
これらのインクＲ１〜Ｒ２０と上記の吐出口部の厚さ（吐出口部の奥行き部分の距離）を変えたヘッドを組み合わせて、目詰まりの発生状況を調べた結果を表６〜表８に記す。
【００９８】
【表６】
2006289984.tif 000007
【００９９】
【表７】
2006289984.tif 000008
【０１００】
【表８】
2006289984.tif 000009
【０１０１】
以上の結果より、顔料粒径Ｄｐと吐出口の奥行き部分の距離（ノズル厚さ）ｔとは、Ｄｐ／ｔ≦０.０１の関係を満足するようにすれば目詰まりのない安定したインク噴射が得られることがわかる。なお、ヘッドの構成によっては、流路と吐出口（ノズル）が連続的につながっているような場合もあるが、本発明でいうところの吐出口の奥行き部分の距離（ノズル厚さ）ｔとは、実質的にノズルを構成する部分の距離，厚さを意味する。
【０１０２】
次に本発明の他の特徴について説明する。前述のように、本発明の記録液体中の着色剤は、水などの解媒に溶解している染料ではなく、顔料である微粒子が分散しているものである。前述の結果では、このようないわゆる顔料インクであっても、顔料粒径と吐出口の奥行き部分の距離（ノズル厚さ）との関係をある範囲内にすれば、目詰まりが生じないことがわかったが、このような顔料インクを使って、インク滴噴射を行うには、目詰まりだけではなく、安定した噴射およびそれによって紙等の被記録体上にインク滴を狙いの位置に高精度に付着させる必要がある。
【０１０３】
ここでは、目詰まりに多いに関係する吐出口の奥行き部分の距離（ノズル厚さ）ｔと吐出口面から紙等の被記録体までの距離Ｌの関係について調べた。
使用したへッドは前述のＨ１〜Ｈ３のヘッドであり、吐出口径がΦ２５μｍであり、その数が１２８個で、その配列密度が４００ｄｐｉのものである。また、発熱体の大きさは２２μｍ×９０μｍで、その抵抗値は１１０Ωであり、インク噴射の駆動電圧は２４Ｖ，駆動パルス幅は６.５μｓ，駆動周波数は１２ｋＨｚである。
【０１０４】
使用したインクは前述の赤色塩基性インクジェットヘッド用インクＲ５であり、被記録体としては三菱製紙製マットコートＮＭを使用し、ヘッドの吐出口面から被記録体までの距離を変えて印写実験を行い、この被記録体上における画素位置精度を評価することにより、高画質記録（高ドット位置精度）が得られるかどうか評価した。なお、本発明のように吐出口が小さく、かつ顔料インクを使用し、従来に較べて噴射がしにくいヘッドでは、少しでも良好な条件を見い出すために、重力作用も影響をおよぼすと考え、鉛直方向に対してほぼ垂直方向にインク滴を噴射する場合と、ほぼ鉛直方向の２通りの噴射方向を評価した。その結果を表９に示す。
【０１０５】
【表９】
2006289984.tif 000010
【０１０６】
なお、表９において、○は狙いのドット位置からのズレが１／４ドット以内に入った場合、△は狙いのドット位置からのズレが１／４ドット以上，１／２ドット以内に入った場合、×は狙いのドット位置からのズレが１／２ドット以上ズレた場合である。なお、１ドットの大きさは約Φ６０μｍである。
【０１０７】
以上の結果より、本発明のように吐出口が小さく、かつ顔料インクを使用し、従来に較べて噴射がしにくいヘッドであっても、吐出口から被記録面までの距離を１００ｔ以下とすることにより、安定噴射が行え、高精度なドット位置精度が得られ高画質記録が実現することがわかる。とりわけ噴射方向を鉛直方向にし、重力作用も利用することにより、その効果が増すこともわかる。
【０１０８】
なお、本発明は、必ずしも完全に鉛直にすることに限定されるものではなく、重力作用を利用すればより効果的であるということをいわんとするものである。よって、本発明を実際に利用する場合には、プリンタの構成上の制約からその噴射方向を完全に鉛直にできなくても、少しでも重力作用が利用できるように下方を向けて噴射するようになっていればよい。
【０１０９】
次に、本発明のより特徴的な点について説明する。前述のように、本発明は、微細な開口からインクを吐出させるといういわゆるインクジェットヘッド記録方式に関するものであり、インク中に含まれる顔料によって生じる吐出口部分の損傷，摩耗がインク滴吐出性能に影響を及ぼすためそれを解決するためになされたものである。
【０１１０】
特に、近年インクジェット記録の高画質化，高精細化が進み、使用されるヘッドの吐出口（ノズル）も、従来は、Φ３３μｍ〜Φ３４μｍ（面積でいうと９００μｍ2程度）からΦ５０μｍ〜Φ５１μｍ（面積でいうと２０００μｍ2程度）のものが一般的であったが、より微細な吐出口（例えば、Φ２５μｍ以下、面積でいうと５００μｍ2未満）が要求されてきている。
【０１１１】
その際、従来のように比較的その吐出口径が大きなものは、多少の損傷，摩耗であっても、もともとの吐出口が大きいため、その大きさに占める損傷，摩耗の比率がほとんど無視できる程度のものであり、インク滴吐出性能（噴射の安定性，インク質量均一性等）にもほとんど影響を及ぼさず、問題とならない。しかしながら、より微細な吐出口（例えば、Φ２５μｍ以下、面積でいうと５００μｍ2未満）となった場合には、わずかの損傷，摩耗であっても、微細な吐出口であるため、その大きさに占める損傷，摩耗の比率が無視できず、インク滴吐出性能（噴射の安定性，インク質量均一性等）に影響を及ぼすようになる。
【０１１２】
ところで、このような吐出口部の損傷，摩耗は、吐出口部を構成する材料の硬さを適切に選ぶことにより、回避可能と考えられる。本発明は、この点に注目し、各種材料の硬さと損傷，摩耗の関係を実験的に調べたものである。具体的には、図３に示したようなヘッドで、そのノズル板を材料を変えて形成し、一定時間インク噴射を行うことにより、吐出口部に損傷，摩耗が生じるかどうか、また、インク滴吐出性能の劣化が生じるかどうかを調べたものである。使用したヘッドは、図３に示したような構成の熱エネルギーを使用するインクジェット記録方式のヘッドであるが、図３に示したものは、説明を簡単にするため吐出口を４個しか示していない。実際に使用したのは吐出口の数が１２８個で、その配列密度が４００ｄｐｉのものである。
【０１１３】
また、発熱体の大きさは、２２μｍ×９０μｍで、その抵抗値は１１０Ωであり、インク噴射の駆動電圧は２４Ｖ、駆動パルス幅は６.５μｓ、駆動周波数は１２ｋＨｚとした。なお、その吐出口部分（ノズル部分）は、各種樹脂材料や金属材料で形成したノズル板を変えたヘッドを準備して実験した。また、吐出口径は、Φ２５μｍ（Ｈ１）、Φ２０μｍ（Ｈ２）のものを用意した。
【０１１４】
比較参考例として、吐出口径がΦ５０μｍのもの（参考ヘッド）も用意した。この場合は、吐出口の数が４８個で、その配列密度が１８０ｄｐｉのものである。そして、この発熱体の大きさは４０μｍ×１８０μｍで、その抵抗値は１２０Ωであり、インク噴射の駆動電圧は３０Ｖ、駆動パルス幅は７μｓ、駆動周波数は１.８ｋＨｚとした。ノズル板の厚さは、すべて４０μｍとした。なお、各種材料の硬さはロックウェル硬さで評価したが、実際の硬さ測定は、ノズル板で行っているわけではなく、ノズル板を形成している材料と同じ材料で試験片を作って測定したものである。
【０１１５】
ノズル板を形成した材料を硬さとともに表１０に示す。硬さは主にロックウェルＭスケールで示したが、一部金属材料はＢスケールで示した（ＢスケールはＭスケール表示するものより硬いものに適用）。
【０１１６】
【表１０】
2006289984.tif 000011
【０１１７】
使用したインクは、以下のような組成および製法によるものであるが、顔料粒径が０.０２〜１μｍまで変えたものを準備し、吐出口径の異なるヘッドおよび吐出口部の材料の異なるヘッドと組み合わせてテストした。
【０１１８】
インクの製法を以下に記す。スチレン／アクリル酸／ブチルアクリレートからなる、酸価２６５、重量平均分子量８,０００、ガラス転移温度６７℃の共重合体Ｐをエタノールアミンを用いて溶解した水溶液を用い、ピグメントレッド１２２分散体Ｄ１〜Ｄ１０を作成した。
・共重合体Ｐ水溶液（固形分１５重量％）          ４０部
・ピグメントレッド１２２（ファーストゲンスーハーマジェンタＲＴ，
大日本インキ製）                              ２４部
・ジエチレングリコール                          ２０部
・イソプロピルアルコール                        １０部
・水                                          １３０部
【０１１９】
これらの材料をバッチ式縦型サンドミル（アイメックス製）に仕込み、１ｍｍ径のガラスビーズをメディアとして充填し、水冷しつつ３時間分散処理を行った。分散後の液の粘度は１８ｃｐ、ｐＨ＝９.５の粗分散体を得た。この分散液を遠心分離機にかけ粗大粒子を除去し、また遠心分離の条件を種々変えることによって顔料の平均粒径を０.０２〜１μｍまで変えた分散体Ｄ１〜Ｄ７を得た。この微分散液を、水，ジエチレングリコールおよびエチレングリコールモノブチルエーテル（６０：３０：１０重量比）にて希釈し、粘度３.３ｃｐｓ、表面張力３５ｄｙｎｅ／ｃｍ、ｐＨ９.３のマゼンタ色塩基性インクジェット用インクＭ１〜Ｍ７を得た。最終調製物の固形分は約７.５重量％であった。なお、これらのインク中の最終的な顔料含有率は５重量％である。なお、平均粒径は、動的光散乱法による粒度分布測定装置ＥＬＳ−８００（大塚電子製）にて測定を行い、平均量は自己相関関数の初期勾配から得られる値で示した。
【０１２０】
これらのインクＭ１〜Ｍ７と上記の吐出口径の異なるヘッドおよび吐出口部の材料の異なるヘッドと組み合わせて、１つの吐出口あたり、５×１０8滴となるようにし、１２８ノズル全てインク滴吐出させた。そして、吐出開始直後と終了後で、吐出口部に損傷，摩耗が生じ、その結果、インク滴吐出性能の劣化が生じているかどうかを調べた結果を、表１１，表１２，表１３に記す。なお、表中、○は吐出部口の損傷や摩耗は見られず、インク滴吐出性能の劣化も生じなかったもの、△は吐出口部の損傷や摩耗は見られるが、インク滴吐出性能の劣化が生じなかったもの、×は吐出口部の損傷や摩耗は見られ、インク滴吐出性能の劣化が生じたものである。
【０１２１】
【表１１】
2006289984.tif 000012
【０１２２】
【表１２】
2006289984.tif 000013
【０１２３】
【表１３】
2006289984.tif 000014
【０１２４】
以上の結果より、比較参考例のように大きな吐出口のヘッドでは、吐出口部に多少の損傷や摩耗が生じても、吐出性能の劣化にまでは至らないことが分かる。一方、本発明が対象としている吐出口径がΦ２５μｍ以下であるように非常に微細な場合には、吐出口部に損傷や摩耗が生じるとインク滴吐出性能が劣化するため、安定したインク滴吐出を行うためには、吐出口部に損傷や摩耗が生じないような条件を選ばなければならないことがわかる。なお、吐出口の形状が丸ではなく矩形、台形等の場合であっても、本発明は好適に適用される。その場合はΦ２５μｍ以下は面積相当で約５００μｍ2未満であり、本発明は丸以外の形状であってもその面積が約５００μｍ2未満であるような吐出口のものに適用される。
【０１２５】
具体的には、表１１，表１２よりわかるように、吐出口部を形成する樹脂材料を、ロックウェルＭスケールで６５〜１２０の材料（Ｓ３〜Ｓ１１）を使用すればよい。また、顔料粒径が０.０２μｍ〜０.２μｍの範囲のインクを使用すればよい。なお、サンプルＳ１，Ｓ２のようにロックウェルＭスケールで６５未満であっても、顔料粒径を０.０２μｍのインクを使用すればインク滴吐出性能劣化は生じないが、使用できるインクが非常に限定されるため、あまり実用的とはいえない。
【０１２６】
なお、以上の説明は全てバブルインクジェットの例で説明したが、本発明はこれに限定されることなく、微細な吐出口を有し、顔料インクを使用する全てのインクジェットに適用されるものである。また、記録ヘッド例も単色のインクの例をあげて説明しているが、カラーインクジェットにも適用できるのはいうまでもない。
【図面の簡単な説明】
【０１２７】
【図１】バブルインクジェット型記録ヘッドの一例を説明するための図である。
【図２】バブルインクジェット方式のインクジェットのインク滴吐出の原理を説明するための図である。
【図３】ノズル板を有するインクジェットヘッドの例を示す図である。
【図４】本発明のインクジェットヘッドの一例を示す図である。
【図５】図４の記録ヘッド部にインクタンクを設けた例を示す図である。
【図６】インクジェットヘッドをシリアルプリンタ構成として例を示す図である。
【図７】４色の吐出口列を持つ例を示す図である。
【図８】４色のヘッドを一体化した例を示す図である。
【図９】４色のヘッドをキャリッジ上に独立して並べた例を示す図である。
【図１０】複数色のヘッドを積層して一体化した例を示す図である。
【図１１】ヘッドユニットとインク容器部とを一体的に形成した例を示す図である。
【図１２】インク容器部のみを分離可能な構成にした場合の例を示す図である。
【図１３】インクの色ごとにインク容器を分離できるようにした例を示す図である。
【符号の説明】
【０１２８】
１…蓋基板、２…発熱体基板、３…記録液体流入口、４…吐出口、５…流路溝、６…共通液室、７…個別リード電極、８…共通リード電極、９…発熱体、１０…インク、１０′…インク柱、１１…気泡、１２…液滴、３０…発熱体基板、３１Ｙ，３１Ｍ，３１Ｃ，３１Ｂ…インク吐出エレメント、４０…インクタンク、５０…記録ヘッド、５１…記録紙、５２…キャリッジ、５３…ガイドロッド、５４…ネジ棒、５５…記録紙送りローラ、５６…記録紙おさえコロ、７０…キャリッジ、７１Ｂ，７１Ｃ，７１Ｍ，７１Ｙ…ヘッド、７２Ｂ，７２Ｃ，７２Ｍ，７２Ｙ…吐出口、７３…ノズル板、１００…ヘッドユニット、１０１…ヘッドチップ、１０２…ＦＰＣ、１０３…上蓋、１０４…インク容器部、１０５…フィルタ、１０６…インク含浸用フォーム材、１０７…底蓋、１１０…ヘッドユニット、１１１…ヘッド部、１１２…インク容器部。
【図１】
2006289984.tif 000015
【図２】
2006289984.tif 000016
【図３】
2006289984.tif 000017
【図４】
2006289984.tif 000018
【図５】
2006289984.tif 000019
【図６】
2006289984.tif 000020
【図７】
2006289984.tif 000021
【図８】
2006289984.tif 000022
【図９】
2006289984.tif 000023
【図１０】
2006289984.tif 000024
【図１１】
2006289984.tif 000025
【図１２】
2006289984.tif 000026
【図１３】
2006289984.tif 000027